(57)【要約】【課題】レシートの管理が容易なＰＯＳレジスターシステムを提供すること。【解決手段】ＰＯＳレジスターが、商品データを読み取り（ステップＳ１）、ホストＰＣへ送信する（ステップＳ２）。ホストＰＣは、商品データに対応する分類情報を取得し（ステップＳ３）、該分類情報に対応するお勧め商品の分類情報を取得する（ステップＳ４）。ホストＰＣは、該お勧め商品の在庫個数を確認し（ステップＳ６）、在庫が有るならば、該お勧め商品の情報（商品名、設置場所など）をＰＯＳレジスターへ送信する（ステップＳ７）。ＰＯＳレジスターは、レシート情報にお勧め商品の情報を組み込み（ステップＳ８）、携帯端末へ送信する（ステップＳ９）。携帯端末は、お勧め商品の情報が組み込まれたレシート情報を表示する（ステップＳ１０）。【選択図】図６
2008250381.tif 000002
【特許請求の範囲】
【請求項１】
購入商品から商品データを取得する商品データ取得手段と、
取得された商品データに基づいてお勧め商品を選択する選択手段と、
前記購入商品の支払いに関するレシート情報に前記お勧め商品の情報を組み込む組み込み手段と、
前記お勧め商品の情報が組み込まれたレシート情報を、前記購入商品の購入者の携帯端末へ送信する送信手段と
を具備することを特徴とするＰＯＳレジスターシステム。
【請求項２】
購入商品の分類と該購入商品に対するお勧め商品の分類との対応関係を記憶する記憶手段を更に具備し、
前記選択手段は、前記記憶手段を参照してお勧め商品を選択する
ことを特徴とする請求項１に記載のＰＯＳレジスターシステム。
【請求項３】
前記記憶手段は、更に、環境に応じて変化する情報に基づいて前記対応関係を記憶する
ことを特徴する請求項２に記載のＰＯＳレジスターシステム。
【発明の詳細な説明】
【技術分野】
【０００１】
本発明は、電子決済機能付き携帯端末に対応したＰＯＳレジスターシステムに関する。
【背景技術】
【０００２】
近年、電子決済機能付き携帯端末と該端末に対応したＰＯＳレジスターシステムとの普及が図られている。ここで、携帯端末は、携帯電話やＰＤＡなど、持ち運び可能な全ての情報処理装置を含む。このようなＰＯＳレジスターシステムでは、電子決済用ＩＣチップが携帯端末内に内蔵されており、ＰＯＳレジスターは、専用の送受信機を介して、該ＩＣチップとの間で、支払いデータの送受信を行う。
【特許文献１】特開２００２−２４９４７号公報
【発明の開示】
【発明が解決しようとする課題】
【０００３】
しかしながら、上述した従来のＰＯＳレジスターシステムでは、支払いに関するレシートが紙として渡されるので、客にとっては、レシート用紙の管理・処分が煩わしい、という課題があった。また、店舗側にとっては、レシート用紙や印刷にコストがかかると共に、レシート用紙の交換のために時間がとられ、レジスタが混雑する、という課題があった。
【０００４】
本発明は、上記課題を解決すべくなされたもので、その目的は、レシートの管理が容易なＰＯＳレジスターシステムを提供することにある。
【課題を解決するための手段】
【０００５】
上記問題を解決するために、本発明は、購入商品から商品データを取得する商品データ取得手段と、取得された商品データに基づいてお勧め商品を選択する選択手段と、前記購入商品の支払いに関するレシート情報に前記お勧め商品の情報を組み込む組み込み手段と、前記お勧め商品の情報が組み込まれたレシート情報を、前記購入商品の購入者の携帯端末へ送信する送信手段とを具備することを特徴とする。
【０００６】
また、本発明は、上記に記載の発明において、購入商品の分類と該購入商品に対するお勧め商品の分類との対応関係を記憶する記憶手段を更に具備し、前記選択手段は、前記記憶手段を参照してお勧め商品を選択することを特徴とする。
更に、本発明は、上記に記載の発明において、前記記憶手段は、更に、環境に応じて変化する情報に基づいて前記対応関係を記憶することを特徴する。
【発明の効果】
【０００７】
本発明によれば、お勧め商品の情報が組み込まれたレシート情報が携帯端末へ送信されるので、客は、レシート用紙を持つ必要がなくなる。また、店舗側にとっては、レシート用紙や印刷のコストを削減できると共に、レシート用紙の交換頻度が減少するので、レジスターでの混雑が緩和される。更に、客のニーズに応じたお勧め商品情報の提供が可能となり、売上げの増加が期待できる。
【発明を実施するための最良の形態】
【０００８】
以下、本発明の一実施形態によるＰＯＳレジスターシステムを図面を参照して説明する。
図１は、本実施形態によるＰＯＳレジスターシステムの構成の一例を示す説明図である。
図１に示されるように、本システムは、ＰＯＳレジスター１と、ホストＰＣ２とから構成される。ＰＯＳレジスター１とホストＰＣ２とは、ネットワークによって接続されている。
【０００９】
ＰＯＳレジスター１は、バーコードリーダー３と送受信機４とを備える。バーコードリーダー３は、商品に添付されたバーコードから、商品データ（商品名、値段、識別ＩＤなど）を読み取るために使用される。なお、商品データを取得する手段は、バーコードリーダーに限定されず、例えば、ＩＣタグ等を使用することも考えられる。送受信機４は、携帯端末５との間でデータを送受信することによって、該携帯端末５内の電子決済用ＩＣチップに該データを書き込み、または、読み出す。
【００１０】
ホストＰＣ２は、ＰＯＳレジスター１から商品データを受信し、該商品データに基づいて販売情報を集計・管理するコンピュータ装置である。ホストＰＣ２には、各種情報を入出力するための管理端末６が接続されている。そして、ホストＰＣ２は、購入商品の商品データを受信すると、該購入商品に関連するお勧め商品の情報をＰＯＳレジスター１に送信する。ここで、ホストＰＣ２は、上記お勧め商品の情報を生成するために、図２〜図５に示されるテーブルを有する。
【００１１】
図２は、取扱い商品テーブルの一例を示す説明図である。取扱い商品テーブルには、店舗内の各商品の商品情報が格納されている。図２に示される一例では、「商品名」「設置コーナー」「属性」「識別ＩＤ」「優先度」「在庫個数」「分類」が格納されている。このうち、「商品名」は、各商品の名前を示す。「設置コーナー」は、各商品の店舗内での設置場所を示す。「属性」は、各商品の属性（種類）を示す。「識別ＩＤ」は、各商品の識別番号を示す。「優先度」は、各商品の（他の商品と比較した）お勧めの優先度を示し、例えば、新商品などは優先度が高くなる。なお、「優先度」としては、図２に示されるようなランク分けの他に、優先順位を示す数値を格納することも考えられる。「在庫個数」は、各商品の店舗における在庫の数を示す。「分類」は、各商品が属する分類を示す。なお、分類については、図３を参照して、以下に説明する。
【００１２】
図３は、分類内容テーブルの一例を示す説明図である。分類内容テーブルには、各分類の定義が格納されている。図３に示される一例では、分類「Ａ０１」は、分類属性１として「１（つまみ）」が設定され、分類属性２として「夏」が設定されている。これによって、分類「Ａ０１」は、「夏に合ったつまみ」として定義される。他の分類も同様に定義される。
【００１３】
図４は、可変情報保存テーブルの一例を示す説明図である。可変情報保存テーブルには、環境に応じて変化する情報が格納されている。図４に示される一例では、気温情報（「高温」「低温」）が格納されている。この気温情報は、ホストＰＣ２の管理端末６によって変更可能である。その他に、ホストＰＣ２に温度センサを接続し、該温度センサの検出値によって、ホストＰＣ２自身が、上記気温情報を随時更新することも考えられる。なお、可変情報としては、気温情報の他に、天候情報（「雨」「晴れ」）や時刻情報（「朝」「昼」「夜」）なども考えられる。その場合、インターネット等から天候情報を取得したり、ホストＰＣ２内蔵の時計から時刻情報を取得することが考えられる。また、図４に示される一例では、１種類の可変情報しか格納されていないが、複数の可変情報（例えば、気温情報と天候情報と）を格納することも考えられる。
【００１４】
図５は、お勧め分類紐付けテーブルの一例を示す説明図である。お勧め分類紐付けテーブルには、分類内容テーブル（図３参照）で定義された分類を紐付け元情報１とし、可変情報保存テーブル（図４参照）内の可変情報が取り得る値を紐付け元情報２とし、これらの紐付け元情報に対応する紐付け先情報が格納されている。図５に示される一例では、購入商品の分類が「Ａ０１（則ち、夏に合ったつまみ）」であり、気温が「高温」である場合、お勧め商品の分類として「Ａ０３（則ち、ビール）」が格納されている。他の場合についても、同様に、お勧め商品の分類が、紐付け先情報として格納される。なお、図５に示される一例では、購入商品の分類が「Ａ０１（則ち、夏に合ったつまみ）」であり、気温が「低温」である場合、紐付け先情報が存在しない。これは、このような場合には、お勧め商品が無いことを意味している。
【００１５】
また、図５に示される一例では、２つの紐付け元情報（則ち、分類情報と気温情報と）が示されているが、紐付け元情報の数はこれに限定されない。則ち、気温情報を用いず、分類情報のみを紐付け元情報として、対応する紐付け先情報を格納することも考えられる。
また、お勧め分類紐付けテーブルは、分類内容テーブル（図３参照）と可変情報保存テーブル（図４参照）と予め設定された所定の関連付け（例えば、「つまみには飲み物を勧める」「飲み物にはつまみを勧める」「高温なら冷たい飲み物を勧める」「低温なら温かい飲み物を勧める」などの関連付け）に基づいて、ホストＰＣ２にて、自動的に作成されることも考えられる。
【００１６】
次に、上記構成によるＰＯＳレジスターシステムの動作を説明する。
図６は、本実施形態によるＰＯＳレジスターシステムの動作の一例を示すフローチャートである。ここで、図２〜５に示される各種テーブルは、既に生成済みであるとする。
【００１７】
まず、購入商品がＰＯＳレジスター１へ持ち込まれると、ＰＯＳレジスター１は、バーコードリーダー３によって、購入商品に添付のバーコードから、商品データ（商品名、値段、識別ＩＤなど）を読み取る（ステップＳ１）。
ＰＯＳレジスター１は、読み取られた商品データを、ネットワークを介して、ホストＰＣ２へ送信する（ステップＳ２）。
【００１８】
ホストＰＣ２は、受信した商品データを集計した後、取扱い商品テーブル（図２参照）から、該商品データに対応する分類情報を読み出す（ステップＳ３）。ここで読み出された分類情報が、紐付け元情報１（図５参照）となる。例えば、上記購入商品が「柿の種」であるならば、ホストＰＣ２は、図２において「柿の種」に対応する分類情報「Ａ０１」を読み出す。
なお、購入商品が複数存在する場合、その中からランダムに所定数の商品を選択し、選択された商品に対応する分類情報を読み出してもよい。
【００１９】
上記分類情報の読み出しと並行して、ホストＰＣ２は、可変情報保存テーブル（図４参照）から、気温情報を読み出す。
【００２０】
次に、ホストＰＣ２は、お勧め分類紐付けテーブル（図５参照）から、紐付け元情報（則ち、読み出された分類情報と気温情報と）に対応する紐付け先情報（則ち、お勧め商品の分類情報）を読み出す（ステップＳ４）。例えば、分類情報が「Ａ０１」であり、気温情報が「高温」であるならば、ホストＰＣ２は、図５において「Ａ０１」かつ「高温」に対応する分類情報「Ａ０３」を、お勧め商品の分類情報として読み出す。
一方、分類情報が「Ａ０１」であり、気温情報が「低温」であるならば、図５において「Ａ０１」かつ「低温」に対応する紐付け先情報は存在しないので、ホストＰＣ２は、「お勧め商品無し」と判断し（ステップＳ５）、ステップＳ９へ進む。
【００２１】
お勧め商品の分類情報（紐付け先情報）が有る場合、ホストＰＣ２は、取扱い商品テーブル（図２参照）を参照して、該分類情報に対応する商品の在庫個数を確認し（ステップＳ６）、在庫が無いならば、ステップＳ９へ進む。
一方、在庫が有るならば、ホストＰＣ２は、その商品をお勧め商品として選択し、取扱い商品テーブル（図２参照）から、該お勧め商品の情報（お勧め商品の商品名、店舗内での設置場所など）を読み出し、該情報を、ネットワークを介して、ＰＯＳレジスター１へ送信する（ステップＳ７）。
【００２２】
なお、お勧め商品が複数存在する場合、取扱い商品テーブル（図２参照）の「優先度」の高い商品から順番に、所定数の商品を選択してもよい。例えば、お勧め商品の分類情報が「Ａ０３」である場合、図２に示される取扱い商品テーブルを参照すると、分類「Ａ０３」の商品としては、「ドライ（ビール）」と「ラガー（ビール）」との２つが存在し、両者とも在庫がある。この場合、「ドライ」の方が「ラガー」より「優先度」が高いので、「ドライ」がお勧め商品として選択される。
他に、お勧め商品が複数存在する場合、その中からランダムに所定数の商品を選択してもよい。
【００２３】
一方、ホストＰＣ２によってステップＳ３〜Ｓ７の処理が行われている間に、または、これらの処理の後に、ＰＯＳレジスター１と携帯端末５との間では、購入代金の支払いが行われる。購入代金の支払いが終了すると、ＰＯＳレジスター１は、該支払いに関するレシート情報（レシート印字データ）に、ホストＰＣ２から受信したお勧め商品の情報を組み込む（ステップＳ８）。
【００２４】
一方、ステップＳ５の判断が「紐付け先情報無し（則ち、お勧め商品無し）」である場合、または、ステップＳ６の判断が「在庫無し」である場合は、お勧め商品の情報がＰＯＳレジスター１に送信されないので、ステップＳ８の処理を行われない（則ち、お勧め商品の情報はレシート情報に組み込まれない）。
【００２５】
そして、ＰＯＳレジスター１は、お勧め商品の情報が組み込まれたレシート情報を、送受信機４を介して、携帯端末５内のＩＣチップに書き込む（ステップＳ９）。
【００２６】
なお、本実施形態では携帯端末５によって支払いを行う場合を説明したが、本発明は、支払いに携帯端末５を使用しない場合（例えば、現金による支払いの場合）にも適用可能である。その場合、ＰＯＳレジスター１が、上記支払いに関するレシート情報をホストＰＣ２へ送信し、その後、ホストＰＣ２が、該レシート情報にお勧め商品の情報を組み込み、お勧め商品の情報が組み込まれたレシート情報を、ＳＭＴＰを使用して、携帯端末５へ直接送信する。
【００２７】
最後に、携帯端末５が、所定のアプリケーションによって、お勧め商品の情報が組み込まれたレシート情報を表示画面に表示する（ステップＳ１０）。
以上で、本システムの動作は終了する。
【００２８】
なお、図６に示される各ステップを実現するためのプログラムをコンピュータ読み取り可能な記録媒体に記録して、また、ＰＯＳレジスター１およびホストＰＣ２における処理部の機能を実現するためのプログラムをコンピュータ読み取り可能な記録媒体に記録して、この記録媒体に記録されたプログラムをコンピュータシステムに読み込ませ、実行することにより、図６に示される処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００２９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３０】
【図１】本実施形態によるＰＯＳレジスターシステムの構成の一例を示す説明図である。
【図２】取扱い商品テーブルの一例を示す説明図である。
【図３】分類内容テーブルの一例を示す説明図である。
【図４】可変情報保存テーブルの一例を示す説明図である。
【図５】お勧め分類紐付けテーブルの一例を示す説明図である。
【図６】本実施形態によるＰＯＳレジスターシステムの動作の一例を示すフローチャートである。
【符号の説明】
【００３１】
１  ＰＯＳレジスター
２  ホストＰＣ
３  バーコードリーダー
４  送受信機
５  携帯端末
６  管理端末
【図１】
2008250381.tif 000003
【図２】
2008250381.tif 000004
【図３】
2008250381.tif 000005
【図４】
2008250381.tif 000006
【図５】
2008250381.tif 000007
【図６】
2008250381.tif 000008